(57)【要約】      （修正有）【課題】組立が迅速かつ容易なラック構造を提供する。【解決手段】ラック構造は、ラック板１０、背板２０、接続部材３０及び枠部４０を備え、相互に嵌合可能である。ラック板は矩形状プレートである。背板は六辺形のプレートであり、隅部にＵ字状溝２１が切設され、Ｕ字状溝両側の背板表面には連続した凹凸状の係合縁が形成され、Ｕ字状溝の開口部には弧状の逃げ切欠き２３が形成される。接続部材３０は２つの挟持板を有し、それらの間に設けたベースにより挟持板が間隔をおいて配設され、挟持板内面には２つの位置規制リブが設けられる。枠部４０は、前端部から末端部へかけて貫通された３つの八の字状の挟持溝４１と、挟持溝の末端に拡大した収容部４２を有し、周側には凹部４３が形成される。凹部内には、枠部の軸方向に対して垂直延伸プレート４４が適宜間隔をあけて立設され、接続部材の挟持板を挟持して固定する。【選択図】図２
0003186945.tif 000002
【実用新案登録請求の範囲】
【請求項１】
ラック板、背板、接続部材及び枠部を備え、前記ラック板、前記背板及び前記接続部材と前記枠部とが嵌合可能なラック構造であって、
前記ラック板は、矩形状プレートであり、
前記背板は、六辺形のプレートであり、隅部にＵ字状溝がそれぞれ切設され、前記Ｕ字状溝両側の前記背板表面には、連続した凹凸状の係合縁が形成され、前記Ｕ字状溝の開口部には、弧状の逃げ切欠きが形成され、
前記接続部材は、２つの挟持板を有し、それらの間に設けたベース高さにより前記挟持板が間隔をおいて配設され、前記挟持板のうちの１つの内面には、２つの位置規制リブがそれぞれ設けられ、
前記枠部上には、３つの八の字状に形成され、前端部から末端部へかけて貫通された挟持溝は、その周側に前記挟持溝のそれぞれが交差した箇所の間に長尺状の凹部が形成され、前記凹部内には、前記枠部の軸方向に対して垂直に延伸プレートが間隔をあけて立設され、前記延伸プレートは、前記接続部材を介して前記挟持板を挟持して固定し、
前記接続部材の前記ベースが前記背板の前記Ｕ字状溝に挿設されると、前記位置規制リブが前記係合縁に係止され、前記接続部材は、前記逃げ切欠き中において前記挟持板により前記枠部の前記延伸プレートを挟持し、前記枠部により前記背板上にそれぞれ架設され、前記枠部の前記挟持溝に前記ラック板を挿設すると、前記ラック板、前記背板、前記接続部材及び前記枠部が組み合わされて六角形のラックに形成されることを特徴とするラック構造。
【請求項２】
前記ラック板は、サイズ、深さ及び容積が異なる様々な物品が載置可能なように、物品の違いに応じて異なる規格に製作可能であることを特徴とする請求項１に記載のラック構造。
【請求項３】
前記ラック板は、両側縁部にストッパ部をそれぞれ有し、
前記挟持溝の末端には、拡大した収容部が形成されることを特徴とする請求項１に記載のラック構造。
【請求項４】
前記挟持板間の偏心箇所に設けた前記ベースの高さにより、前記挟持板は、間隔をあけて配設されることを特徴とする請求項１に記載のラック構造。
【請求項５】
前記挟持板は、前記ベース両側に設けられた位置規制リブを内面に有することを特徴とする請求項１に記載のラック構造。
【請求項６】
前記２つの挟持板の外表面には、ユーザが前記接続部材を握る際、力が加え易いように中央に手持部が隆起されていることを特徴とする請求項１に記載のラック構造。
【請求項７】
隔板が挟持部材により内部に取り付けられ、
前記挟持部材は、前記枠部の前記延伸プレート上へ固定され、互いに対向した２つの前記挟持部材により前記隔板を挟持して固定することを特徴とする請求項１に記載のラック構造。
【請求項８】
立板により支えられた酒瓶用ラックとして使用する場合、
前記立板に形成された弧状切欠きに酒瓶の瓶口部を掛け、前記接続部材を嵌合する前記Ｕ字状溝及び前記係合縁がそれぞれ両側に形成され、前記接続部材を介して前記酒瓶用ラック内部に設けられた前記枠部の前記延伸プレートに前記立板が固定されることを特徴とする請求項１に記載のラック構造。
【考案の詳細な説明】
【技術分野】
【０００１】
本考案は、ラック構造に関し、特に、組立が迅速かつ容易なラック構造に関する。
【背景技術】
【０００２】
従来のラックは、溶接方式又は螺着方式により金属製架台を結合して一体化した後、金属製架台間に受板が水平に固設されていた。この一体化設計は、強度が十分に高いが、占有空間が大きい上に分解することができないため、運んだり収納したりするのが容易でなく、占有空間が大きくなりすぎる上、ラックを分解して再び組み立てて別の形状を形成することができないため、設置空間又は位置関係を変更することができなかった。
【考案の概要】
【考案が解決しようとする課題】
【０００３】
本考案の第１の目的は、ラックを使用しないときに、迅速に分解して占有空間を小さくすることができるため、運んだり収納したりすることが容易である上、占有空間を効果的に減らすことができるラック構造を提供することにある。
本考案の第２の目的は、工具を使用しなくても容易に組み立てることができ、ねじを締め付けたり緩めたりする手間が無いため便利に使用することができるラック構造を提供することにある。
本考案の第３の目的は、挟持板及び枠部を共用し、空間又は視覚上の必要に応じ、ラックを分解して再び組み立てて別の形状を形成し、使用上、自在に変化する柔軟性を有し、ラックの設置空間又は位置関係を自在に変更することができるラック構造を提供することにある。
本考案の第４の目的は、挟持部材、隔板又は立板を組み合わせて別のタイプのラックへ変更することができ、ラックが有する機能が単一機能だけでないラック構造を提供することにある。
【課題を解決するための手段】
【０００４】
上記課題を解決するために、本考案の第１の形態によれば、ラック板、背板、接続部材及び枠部を備え、前記ラック板、前記背板及び前記接続部材と前記枠部とが嵌合可能なラック構造であって、前記ラック板は、矩形状プレートであり、前記背板は、六辺形のプレートであり、隅部にＵ字状溝がそれぞれ切設され、前記Ｕ字状溝両側の前記背板表面には、連続した凹凸状の係合縁が形成され、前記Ｕ字状溝の開口部には、弧状の逃げ切欠きが形成され、前記接続部材は、２つの挟持板を有し、それらの間に設けたベース高さにより前記挟持板が間隔をおいて配設され、前記挟持板のうちの１つの内面には、２つの位置規制リブがそれぞれ設けられ、前記枠部上には、３つの八の字状に形成され、前端部から末端部へかけて貫通された挟持溝は、その周側に前記挟持溝のそれぞれが交差した箇所の間に長尺状の凹部が形成され、前記凹部内には、前記枠部の軸方向に対して垂直に延伸プレートが間隔をあけて立設され、前記延伸プレートは、前記接続部材を介して前記挟持板を挟持して固定し、前記接続部材の前記ベースが前記背板の前記Ｕ字状溝に挿設されると、前記位置規制リブが前記係合縁に係止され、前記接続部材は、前記逃げ切欠き中において前記挟持板により前記枠部の前記延伸プレートを挟持し、前記枠部により前記背板上にそれぞれ架設され、前記枠部の前記挟持溝に前記ラック板を挿設すると、前記ラック板、前記背板、前記接続部材及び前記枠部が組み合わされて六角形のラックに形成されることを特徴とするラック構造が提供される。
【０００５】
前記ラック板は、サイズ、深さ及び容積が異なる様々な物品が載置可能なように、物品の違いに応じて異なる規格に製作可能であることが好ましい。
【０００６】
前記ラック板は、両側縁部にストッパ部をそれぞれ有し、前記挟持溝の末端には、拡大した収容部が形成されることが好ましい。
【０００７】
前記挟持板間の偏心箇所に設けた前記ベースの高さにより、前記挟持板は、間隔をあけて配設されることが好ましい。
【０００８】
前記挟持板は、前記ベース両側に設けられた位置規制リブを内面に有することが好ましい。
【０００９】
前記２つの挟持板の外表面には、ユーザが前記接続部材を握る際、力が加え易いように中央に手持部が隆起されていることが好ましい。
【００１０】
隔板が挟持部材により内部に取り付けられ、前記挟持部材は、前記枠部の前記延伸プレート上へ固定され、互いに対向した２つの前記挟持部材により前記隔板を挟持して固定することが好ましい。
【００１１】
立板により支えられた酒瓶用ラックとして使用する場合、前記立板に形成された弧状切欠きに酒瓶の瓶口部を掛け、前記接続部材を嵌合する前記Ｕ字状溝及び前記係合縁がそれぞれ両側に形成され、前記接続部材を介して前記酒瓶用ラック内部に設けられた前記枠部の前記延伸プレートに前記立板が固定されることが好ましい。
【図面の簡単な説明】
【００１２】
【図１】本考案の第１実施形態に係るラック構造を示す斜視図である。
【図２】本考案の第１実施形態に係るラック構造を示す分解斜視図である。
【図３】本考案の第１実施形態に係るラック構造の接続部材を示す部分拡大図である。
【図４】本考案の第１実施形態に係るラック構造を示す断面図（１）である。
【図５】本考案の第１実施形態に係るラック構造を示す断面図（２）である。
【図６】本考案の第１実施形態に係るラック構造を示す断面図（３）である。
【図７】本考案の第１実施形態に係るラック構造を様々な形状に形成して使用するときの状態を示す斜視図である。
【図８】本考案の第２実施形態に係るラック構造を示す斜視図である。
【図９】本考案の第２実施形態に係るラック構造を示す分解斜視図である。
【図１０】本考案の第３実施形態に係るラック構造を示す部分透視斜視図である。
【図１１】本考案の第３実施形態に係るラック構造を示す平面図である。
【考案を実施するための形態】
【００１３】
以下、本考案の実施形態について図に基づいて説明する。なお、これによって本考案が限定されるものではない。
【００１４】
（第１実施形態）
まず、図１〜図３を参照する。図１〜図３に示すように、本考案の第１実施形態に係るラック構造は、ラック板１０、背板２０及び接続部材３０と、枠部４０とを互いに嵌合されて構成される。ラック板１０は、異なるサイズ、深さ及び容積を有する様々な物品を載置することができるように、様々な規格で製作可能な矩形状プレートである。ラック板１０の両側縁部は弧形状拡大部に形成され、各部分にはストッパ部１１が形成されている。背板２０は、六辺形のプレートであり、その隅部にはＵ字状溝２１が切設されている。Ｕ字状溝２１両側の背板２０の表面には、連続した凹凸状の係合縁２２が形成されている。Ｕ字状溝２１の開口部には、弧状の逃げ切欠き２３が形成されている。接続部材３０は、２つの挟持板３１を有する。２つの挟持板３１は、挟持板３１間の偏心箇所に設けたベース３２の高さにより適宜間隔をあけるように保持される。２つの挟持板３１のうちの１つの内面のベース３２の両側には、位置規制リブ３３がそれぞれ設けられる。２つの挟持板３１の外表面には、中央手持部３４が隆起されているため、ユーザは接続部材３０を容易に握って力を加えることができ、枠部４０上には、３つの八の字状に形成され、前端部から末端部へかけて貫通された挟持溝４１は、挟持溝４１の末端に拡大した収容部４２が形成され、周側には各挟持溝４１の交差する箇所の間に長尺状の凹部４３がそれぞれ形成される。凹部４３内には、枠部４０の軸方向に対して垂直方向で延伸プレート４４が適宜間隔をあけて立設される。延伸プレート４４は、接続部材３０を介して挟持板３１を挟持して固定する。
【００１５】
図１、図４、図５及び図６を参照する。図１、図４、図５及び図６に示すように、本考案の第１実施形態に係るラック構造の接続部材３０は、ベース３２を背板２０のＵ字状溝２１へ挿設させ、位置規制リブ３３を係合縁２２へ係止する。接続部材３０は、逃げ切欠き２３中において挟持板３１により枠部４０の延伸プレート４４を挟持し、枠部４０により背板２０上にそれぞれ架設され、枠部４０の挟持溝４１にラック板１０を挿設し、ラック板１０、背板２０、接続部材３０及び枠部４０を組み合わせて六角形のラックを形成するとともに、ラック板１０のストッパ部１１が枠部４０の収容部４２中に嵌合されると、組み合わせたときの結合力及び安定度が大幅に高まる。
【００１６】
実際に使用する際、ラックが枠部４０により支持されているため、平らな面に自在に載置することができ、ラック板１０及び背板２０により画成されたラックには、物品を収納する収納空間が内側に形成され、物品を集中させて収納することができるため、周囲の環境を綺麗に状態に維持し、ラック板１０と枠部４０とを共用することができるため、空間又は視覚上の必要に応じてラックを分解した後再び組み合わせて所望の形状に形成し（図７を併せて参照する）、ラックの空間又は位置関係を容易に変化させることができる。
【００１７】
（第２実施形態）
図８及び図９を参照する。図８及び図９に示すように、本考案の第２実施形態に係るラック構造は、挟持部材５０により内部に隔板６０が取り付けられている。挟持部材５０は、第１実施形態と同様に枠部４０の延伸プレート４４上へ固定され、２つの対応した挟持部材５０により隔板６０を挟持して固定させる。
【００１８】
（第３実施形態）
本考案の第３実施形態に係るラック構造は、立板７０により支えられて酒瓶用ラックとして使用してもよい（図１０及び図１１を併せて参照する）。立板７０に形成された弧状切欠き７１に酒瓶８０の瓶口部を掛け、接続部材３０を嵌合するＵ字状溝及び係合縁が両側にそれぞれ形成され、接続部材３０を介して酒瓶用ラック内部に設けられた枠部４０の延伸プレート４４に立板７０が固定される。
【００１９】
上述したことから分かるように、本考案のラック構造は以下（１）〜（４）の長所を有する。
（１）ラックを使用していないときに、迅速に分解して占有空間を減らすことができるため、運んだり収納したりすることが容易である上、占有空間を効果的に減らすことができる。
（２）組み立てる際、ねじを締め付けたり緩めたりする手間が無く、工具を使用しなくても容易に組み立てることができる。
（３）挟持板及び枠部を共用するため、空間又は視覚上の必要に応じ、ラックを分解して組み立てて所望の形状に形成し、ラックの設置空間又は位置関係を容易に変更することができる。
（４）挟持部材、隔板又は立板の組合せにより他のタイプのラックへ変更することができ、ラックの機能が単一機能のみに限定されない。
【００２０】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２１】
１０  ラック板
１１  ストッパ部
２０  背板
２１  Ｕ字状溝
２２  係合縁
２３  逃げ切欠き
３０  接続部材
３１  挟持板
３２  ベース
３３  位置規制リブ
３４  手持部
４０  枠部
４１  挟持溝
４２  収容部
４３  凹部
４４  延伸プレート
５０  挟持部材
６０  隔板
７０  立板
７１  弧状切欠き
８０  酒瓶
【図１】
0003186945.tif 000003
【図２】
0003186945.tif 000004
【図３】
0003186945.tif 000005
【図４】
0003186945.tif 000006
【図５】
0003186945.tif 000007
【図６】
0003186945.tif 000008
【図７】
0003186945.tif 000009
【図８】
0003186945.tif 000010
【図９】
0003186945.tif 000011
【図１０】
0003186945.tif 000012
【図１１】
0003186945.tif 000013